(57)【要約】      （修正有）【課題】低コストで簡単にタオルを首回りに保持できるタオル保持機能付き衣服を提供する。【解決手段】首回りにタオルを保持できる衣服であって、首回りの内側２にタオルを挿入可能な環状のタオルループ部１を設けて、タオル保持機能付き衣服１０とした。【選択図】図１
0003230292.tif 000002
【実用新案登録請求の範囲】
【請求項１】
首回りにタオルを保持できる衣服であって、
首回りの内側にタオルを挿入可能な環状のタオルループ部を設けたことを特徴とするタオル保持機能付き衣服。
【請求項２】
前記タオルループ部は、首回りの内側における背面部に縫い付けられたことを特徴とする請求項１に記載のタオル保持機能付き衣服。
【請求項３】
前記タオルループ部は、伸縮材からなることを特徴とする請求項１又は２に記載のタオル保持機能付き衣服。
【考案の詳細な説明】
【技術分野】
【０００１】
本考案は、首回りにタオルを保持できるタオル保持機能付き衣服に関するものである。
【背景技術】
【０００２】
夏場や暑い環境での作業において、首回りにタオルを掛けておき、時折汗を拭うことがよく行われている。
【０００３】
しかしながら、作業で移動したり、風が吹いたりしてタオルが首回りから落ちることがある。
【０００４】
特許文献１には、湾曲した収納部に湿タオルや冷しタオルを包み込むように保持して首回り等の人体に湿タオルを密着させる保持具が記載されている。
【先行技術文献】
【特許文献】
【０００５】
特許文献１：特開２０１２−１６５５１号公報
【考案の概要】
【考案が解決しようとする課題】
【０００６】
しかしながら、特許文献１に記載のものは、タオルを保持させる保持具を用意しなければならず、また、保持具の購入や製作にコストが必要になるという問題がある。
【０００７】
本考案は上記問題点を解決して、低コストで簡単にタオルを首回りに保持できるようにすることを課題とする。
【課題を解決するための手段】
【０００８】
上記課題を解決するために本考案は、首回りにタオルを保持できる衣服であって、
首回りの内側にタオルを挿入可能な環状のタオルループ部を設けたことを特徴とするタオル保持機能付き衣服を提供するものである。
【０００９】
この構成により、タオルをタオル保持機能付き衣服に備わったタオルループ部に挿入するだけで首回りに保持することができ、低コストで簡単にタオルを首回り内側（身体側）に保持できるようにすることができる。
【００１０】
タオル保持機能付き衣服であって、前記タオルループ部は、首回りの内側における背面部に縫い付けられた構成としてもよい。
【００１１】
この構成により、背面にタオルループ部を縫い付けることで落ちにくく、タオル保持力が高いタオル保持機能付き衣服を実現できる。
【００１２】
タオル保持機能付き衣服であって、前記タオルループ部は、伸縮材からなる構成としてもよい。
【００１３】
この構成により、タオルループ部が伸縮材で構成されることで伸縮により、衣服を着たままでタオルを挿入又は脱着することができる。
【考案の効果】
【００１４】
本考案のタオル保持機能付き衣服により、低コストで簡単にタオルを首回りに保持することができる。
【図面の簡単な説明】
【００１５】
【図１】本考案の実施例１におけるタオル保持機能付き衣服を説明する図である。
【図２】本考案の実施例１におけるタオル保持機能付き衣服にタオルを保持させた状態を説明する図である。
【図３】本考案の実施例２におけるタオル保持機能付き衣服を説明する図である。
【図４】本考案の実施例３におけるタオル保持機能付き衣服のタオルループ部を説明する図である。
【図５】本考案の実施例４におけるタオル保持機能付き衣服のタオルループ部を説明する図である。
【考案を実施するための形態】
【実施例１】
【００１６】
本考案における実施例１を図１及び図２を参照して説明する。図１は、本考案の実施例１におけるタオル保持機能付き衣服を説明する図である。図２は、本考案の実施例１におけるタオル保持機能付き衣服にタオルを保持させた状態を説明する図である。
【００１７】
実施例１におけるタオル保持機能付き衣服１０は、ポロシャツの首回り内側である襟足のつけ根近傍に環状のタオルループ部１が縫い付けられている。タオルループ部１は、ヘアバンドのようなゴム等の伸縮材からなり、約３０ｍｍ〜４０ｍｍの直径を有している。実施例１における色は黒色であるが、他色でも差し支えない。
【００１８】
タオルループ部１は環状となっており、環状が構成する輪３の中にタオルを挿入することができる（図２参照）。この輪３にタオルＴを挿入すると強い力で引っ張らない限り抜けることはない。また、タオルループ部１は、ヘアバンドのようなゴム等の伸縮材で構成されているので、タオル保持機能付き衣服１０を着たままで、タオルＴを容易に着脱することができる。
【００１９】
タオルループ部１の輪３にタオルＴを挿入した状態で、タオルＴの端部を利用して顔や首筋の汗を拭うことができる。特に、夏場や暑い環境で作業する場合に、汗を拭きながら作業でき、また、風が吹いてもタオルＴが落ちることがなく、利便性に優れている。
【００２０】
実施例１においては、タオルループ部１を首回り内側（身体側）の背面部（首の後側）に縫い付けている。これにより、汗を拭うときに左側の顔や首筋であっても右側の顔や首筋であっても容易に拭うことができる。
【００２１】
なお、実施例１においては、タオルループ部１を首回り内側の背面部（首の後側）に縫い付けるように構成したが、必ずしもこれに限定されず適宜変更が可能である。例えば、首回り内側の右寄りや左寄りにタオルループ部１を縫い付けるように構成してもよい。
【００２２】
また、実施例１においては、タオルループ部１を縫い付けるように構成したが、必ずしもこれに限定されず適宜変更が可能である。例えば、ボタン等に着脱可能にタオルループ部を取付けてもよい。
【００２３】
さらに、実施例１においては、ポロシャツにタオルループ部１を取付けるように構成したが、必ずしもこれに限定されず適宜変更が可能である。例えば、作業服、ワイシャツ、カーディガン、トレーニングシャツ、又は登山服にタオルループ部を取付けるように構成してもよい。
【００２４】
また、実施例１においては、タオルループ部１を伸縮材で構成するようにしたが、必ずしもこれに限定されず適宜変更が可能である。例えば、布で構成するようにしてもよい。これにより、さらに低コストでタオル保持機能付き衣服を実現できる。また、実施例１においては、タオルループ部１が約３０ｍｍ〜４０ｍｍの直径を有しているように構成したが、必ずしもこれに限定されず適宜変更が可能である。例えば、薄いタオルであれば約２０〜３０ｍｍの直径を有するようにしてもよいし、厚いタオルであれば約４０〜５０ｍｍの直径を有するようにしてもよい。
【００２５】
このように実施例１においては、首回りにタオルを保持できる衣服であって、
首回りの内側にタオルを挿入可能な環状のタオルループ部を設けたことを特徴とするタオル保持機能付き衣服により、低コストで簡単にタオルを首回りに保持できるようにすることができる。
【００２６】
また、タオルループ部を、ゴム等の伸縮材で構成したことで、タオル保持機能付き衣服を着たままで、タオルを容易に着脱することができる。
【実施例２】
【００２７】
本考案の実施例２は、Ｔシャツにタオルループ部を取付けた点で実施例１と異なっている。実施例２について、図３を参照して説明する。図３は、本考案の実施例２におけるタオル保持機能付き衣服を説明する図である。
【００２８】
実施例２におけるタオル保持機能付き衣服２０は、Ｔシャツの首回り内側（身体側）の背面側にヘアバンドのようなゴム等の伸縮材からなるタオルループ部１を縫い付けている。これにより、襟がないＴシャツであっても、汗を拭うときに左側の顔や首筋や右側の顔や首筋を容易に拭うことができる。また、タオルループ部１は、ヘアバンドのようなゴム等の伸縮材で構成されているので、タオル保持機能付き衣服２０を着たままで、タオルＴを容易に着脱することができる。
【００２９】
このように、実施例２においても、首回りにタオルを保持できる衣服であって、
首回りの内側にタオルを挿入可能な環状のタオルループ部を設けたことを特徴とするタオル保持機能付き衣服により、低コストで簡単にタオルを首回りに保持できるようにすることができる。
【００３０】
また、タオルループ部を、ゴム等の伸縮材で構成したことで、タオル保持機能付き衣服を着たままで、タオルを容易に着脱することができる。
【実施例３】
【００３１】
本考案の実施例３は、タオルループ部がボタン止めして輪を形成する点で、実施例１及び２と異なっている。実施例３について図４を参照して説明する。図４は、本考案の実施例３におけるタオル保持機能付き衣服のタオルループ部を説明する図であり、（ａ）は、タオルループ部が開放された状態を示し、（ｂ）は、タオルループ部が閉じて輪を形成した状態を示す。
【００３２】
実施例３におけるタオル保持機能付き衣服３０のタオルループ部３１は、一片の長方形からなる布からなり、一端が衣服の首回り内側の背面に縫い付けられ、他端は開放されている。そして、一端にはボタン３４が取付けられており、他端にはボタン３５が取付けられている。そしてボタン３４にボタン３５を嵌合させると輪３３を構成することができる。
【００３３】
タオルループ部３１にタオルを保持させるには、タオルループ部３１が開放された状態でタオルの略中央部を位置させ、その後、ボタン３４にボタン３５を嵌合させてタオルループ部３１を閉じた状態とすればよい。
【００３４】
なお、実施例３においては、タオルループ部３１が開放された状態でタオルの略中央部を位置させ、その後、ボタン３４にボタン３５を嵌合させてタオルループ部３１を閉じた状態とするようにしたが、必ずしもこれに限定されず適宜変更が可能である。例えば、まず、ボタン３４にボタン３５を嵌合させてタオルループ部３１を閉じた状態として形成された輪３３にタオルを挿入するようにしてもよい。
【００３５】
また、実施例３においては、タオルループ部３１を布で構成するようにしたが、必ずしもこれに限定されず適宜変更が可能である。例えば、ゴム等の伸縮材で構成してもよい。これにより、タオルを輪３３に挿入し易くすることができる。
【００３６】
このように、実施例３においても、首回りにタオルを保持できる衣服であって、
首回りの内側にタオルを挿入可能な環状のタオルループ部を設けたことを特徴とするタオル保持機能付き衣服により、低コストで簡単にタオルを首回りに保持できるようにすることができる。
【実施例４】
【００３７】
本考案の実施例４は、縦長の布片の両端を首回り内側の背面に縫い付けてタオルループ部を構成した点で実施例１−３と異なっている。実施例４について図５を参照して説明する。図５は、本考案の実施例４におけるタオル保持機能付き衣服のタオルループ部を説明する図である。
【００３８】
実施例４におけるタオル保持機能付き衣服４０は、首回り内側の背面に５０ｍｍ×１０ｍｍ程度の布片を縦長にしてその両端がＴシャツに縫い付けられている。そして、両端が縫い付けられた状態でその中間部は、Ｔシャツとの間で輪４３を構成するタオルループ部４１とすることができる。なお、縫い付けるときに布片の両端を折り返して縫い付けても構わない。
【００３９】
そして、他の実施例と同様に輪４３にタオルを挿入することで、低コストで簡単にタオルを首回りに保持できるようにすることができ、汗を拭うときに左側の顔や首筋であっても右側の顔や首筋であっても容易に拭うことができる。
【００４０】
なお、実施例４においては、Ｔシャツにタオルループ部４１を設けたが、必ずしもこれに限定されず適宜変更が可能である。例えば、ポロシャツ、作業服、ワイシャツ、カーディガン、トレーニングシャツ、又は登山服にタオルループ部を取付けるように構成してもよい。
【００４１】
また、実施例４においては、布片を縦長にしてその両端がＴシャツに縫い付けられるように構成したが、必ずしもこれに限定されず適宜変更が可能である。例えば、布片を横長にしてその両端がＴシャツに縫い付けられるように構成してもよい。
【００４２】
さらに、実施例４においては、布片を縦長にしてその両端がＴシャツに縫い付けるように構成したが、必ずしもこれに限定されず適宜変更が可能である。例えば、ゴム等の伸縮材を縦長にしてその両端がＴシャツに縫い付けるように構成してもよい。
【００４３】
このように、実施例４においても、首回りにタオルを保持できる衣服であって、
首回りの内側にタオルを挿入可能な環状のタオルループ部を設けたことを特徴とするタオル保持機能付き衣服により、低コストで簡単にタオルを首回りに保持できるようにすることができる。
【産業上の利用可能性】
【００４４】
本考案のタオル保持機能付き衣服は、汗がでる環境で着衣する分野に広く利用することができる。
【符号の説明】
【００４５】
１：タオルループ部    ２：首回り内側    ３：輪    
１０：タオル保持機能付き衣服    
２０：タオル保持機能付き衣服    
３０：タオル保持機能付き衣服    
４０：タオル保持機能付き衣服    
３１：タオルループ部    ３３：輪    ３４:ボタン    ３５：ボタン    
４１：タオルループ部    ４３：輪    
Ｔ：タオル    
【図１】
0003230292.tif 000003
【図２】
0003230292.tif 000004
【図３】
0003230292.tif 000005
【図４】
0003230292.tif 000006
【図５】
0003230292.tif 000007